(57)【要約】  衣服の着用時に着用者に面する内側面（１０）と皮膚（３）の反対側を向く外側面（１１）とを有する布地層（１）を備える衣服（０）において、着用者の皮膚に直接接触しないにもかかわらず、通気性領域において通気効果が得られ得る。これは、布地層（１）が、衣服の着用時に着用者の皮膚（３）から距離を置く少なくとも１つの通気性領域（２）を有することにより達成される。通気性領域において、それぞれ一体型の開ループとして設計された複数の糸触手体（２０）が、各糸触手体（２０）が布地層（１）の内側面（１０）から離れる側を指す２つの触手セクション（２００）と、外側面（１１）に沿って延びる１つの中央セクション（２０１）とを有するように、個々の第２糸から布地層（１）にもたらされる。糸触手体（２０）の触手セクション（２００）は、衣服（０）の着用時に着用者の皮膚の表面に直接接触し得る一方で、布地層（１）の内側面（１０）は、通気性領域（２）の領域において皮膚表面から距離を置いたままである。
2021507134.tif 000002
【特許請求の範囲】
【請求項１】
少なくとも一本の糸から作製された編物又は織物により特に作製された布地層（１）を備える衣服（０）であって、前記布地層（１）は、前記衣服の着用時に着用者に面する内側面（１０）と皮膚（３）の反対側を向く外側面（１１）とを有する、衣服（０）において、
前記布地層（１）は、前記衣服の着用時に前記着用者の前記皮膚（３）から離間する少なくとも１つの通気性領域（２）を有し、前記通気性領域（２）において、個々の第２ヤーン糸から作製された複数の糸触手体（２０）であって、それぞれが３つのセクションを有する一体型の開ループとして設計された糸触手体（２０）が、前記布地層（１）に組み込まれ、
各糸触手体（２０）は、前記布地層（１）の前記内側面（１０）から離れる側を指す２つの触手セクション（２００）と、前記内側面（１０）の反対側を向く前記外側面（１１）に沿って延びる中央セクション（２０１）とを有し、
前記糸触手体（２０）の前記触手セクション（２００）は、前記衣服（０）の着用時に着用者の皮膚表面に直接接触する一方で、前記布地層（１）の前記内側面（１０）は、前記衣服（０）の着用時に前記通気性領域（２）の領域において、前記皮膚表面から離間したままであり、
前記通気性領域（２）において前記内側面（１０）から突出する前記複数の糸触手体（２０）の毛皮状構造が、１平方センチメートル当たりの糸触手体（２０）が４個以上となる糸触手体（２０）の密度により達成される、
ことを特徴とする衣服（０）。
【請求項２】
前記複数の糸触手体（２０）の前記第２ヤーン糸は、親水性のヤーンから、特にポリアミドから製造され、十分な水分の放散又は毛管作用が達成される、
請求項１に記載の衣服（０）。
【請求項３】
前記複数の糸触手体（２０）の前記第２ヤーン糸の前記ヤーンは、中空の繊維糸である、
請求項１又は２に記載の衣服（０）。
【請求項４】
前記内側面（１０）から離れるように突出する前記２つの触手セクション（２００）の長さは、１ｍｍ乃至７０ｍｍ、特に２ｍｍ乃至１０ｍｍである、
請求項１乃至３の一項に記載の衣服（０）。
【請求項５】
前記布地層（１）の前記内側面における前記糸触手体（２０）の前記２つの隣接する触手セクション（２００）の長さ（ｄ）は、少なくとも略同一である、
請求項１乃至４の一項に記載の衣服（０）。
【請求項６】
前記糸触手体（２０）の前記第２ヤーン糸の前記糸の太さは、０．５乃至１０ｄｔｅｘであるように選択される、
請求項１乃至５の一項に記載の衣服（０）。
【請求項７】
前記複数の糸触手体（２０）の配置密度は、１平方センチメートル当たりの糸触手体（２０）が１０個以上であるように選択され、
いずれの場合にも、２０個以上の触手セクション（２００）が前記内側面（１０）から突出する、
請求項１乃至６の一項に記載の衣服（０）。
【請求項８】
前記布地層（１）は、前記糸触手体（２０）がヤーン糸から作製された開ループとして直接編み込まれた編物（１）である、
請求項１乃至７の一項に記載の衣服（０）。
【請求項９】
前記編物（１）は、丸編み機で製作された丸編物（１）である、
請求項８に記載の衣服（０）。
【請求項１０】
各糸触手体（２０）の隣接する触手セクション（２００）は、少なくとも略同じ長さ（ｄ）を有する、
請求項８又は９に記載の衣服（０）。
【請求項１１】
前記編物（１）の前記第１ヤーン糸の材料は、前記糸触手体（２０）の前記第２ヤーン糸の材料より親水性が低い、
請求項８乃至１０の一項に記載の衣服（０）。
【請求項１２】
前記少なくとも１つの通気性領域（２）又は前記複数の糸触手体（２０）は、前記布地表面エリア（１）の所定の領域、特に、着用者の腋窩、胸郭、胃及び／若しくは腰椎の領域に、脊髄に沿って、内腿の表面に、並びに／又は外腿の表面に配置される、
請求項１乃至１１の一項に記載の衣服（０）。
【請求項１３】
前記少なくとも１つの通気性領域（２）又は前記複数の糸触手体（２０）は、前記衣服（０）の前記布地表面エリア（１）の前記内側面（１０）全体の少なくとも４０％を覆うように配置され、特に、前記通気性領域（２）は、前記衣服（０）の前記布地表面エリア（１）の前記内側面（１０）の８０％乃至１００％を覆う、
請求項１乃至１２の一項に記載の衣服（０）。
【請求項１４】
請求項１に記載の衣服（０）を製造するための方法であって、
―前記布地層（１）は、編み機で第１ヤーン糸から編みパターンに従って自動的に編まれた編物として製造され、
―前記編みプロセスにおいて、第２ヤーン糸が、特に腋窩、胸郭、胃、腰椎及び／若しくは脊髄の領域に、内腿の表面に、並びに／又は外腿の表面において、前記編物（１）の前記内側面（１０）に部分的に且つ前記外側面（１１）に部分的に延びるように編まれ、前記第２ヤーン糸は、その後、前記内側面（１０）から突出する前記通気性領域（２）を形成し、
―前記編物（１）の前記内側面（１０）における前記第２ヤーン糸のループが、切断装置によって自動的に分離されることにより、一体型の開ループとして設計された複数の前記糸触手体（２０）が、前記第２ヤーン糸から、それぞれ２つの触手セクション（２００）と前記中央セクション（２０１）とを有するように形成され、前記通気性領域（２）において前記内側面（１０）から離れるように突出する前記複数の糸触手体（２０）の毛皮状構造が、１平方センチメートル当たりの糸触手体（２０）が４個以上となる糸触手体（２０）の密度により達成される、
方法。
【請求項１５】
前記ループは、隣接する触手セクション（２００）又は各糸触手体（２０）が、少なくとも略同じ長さ（ｄ）を有するように、経路の中央で分離される、
請求項１４に記載の方法。
【請求項１６】
前記内側面（１０）から離れるように突出する前記触手セクション（２００）の前記長さは、１ｍｍ乃至７０ｍｍであるように選択され、前記糸触手体（２０）の前記糸の太さは、０．５乃至１０ｄｔｅｘであるように選択される、
請求項１４に記載の方法。
【請求項１７】
前記複数の糸触手体（２０）の前記糸は、中空の繊維糸である、
請求項１４乃至１６の一項に記載の方法。
【請求項１８】
前記複数の糸触手体（２０）の前記糸は、ポリアミドを含んでいる、
請求項１４乃至１７の一項に記載の方法。
【請求項１９】
前記糸触手体（２０）の前記密度は、１平方センチメートル当たりの糸触手体（２０）が１５個を超えるようになっており、毛皮機能が形成される、
請求項１４乃至１８の一項に記載の方法。
【請求項２０】
前記第１糸と前記第２糸とは同一である、
請求項１４乃至１９の一項に記載の方法。
【発明の詳細な説明】
【技術分野】
【０００１】
本発明は、少なくとも一本の糸から作製された編物又は織物により特に作製された布地層を備える衣服であって、布地層は、衣服の着用時に着用者に面する内側面と皮膚の反対側を向く外側面とを有する衣服、及び衣服を製造するための方法に関する。
【背景技術】
【０００２】
種々の衣服、とりわけ、通気性のある手段（通気手段）を有する種々の布地層を有する衣服が、特に出願人により知られている。主としてこの目的のために製造された、着床者の皮膚に密着する衣服は、特に体にフィットするとともに、着用者の皮膚に直接接触することに基づく通気効果を発揮し得る。通気手段は、例えば、汗を吸収するように、又は対象となる汗を放散させるように、及び特定の身体部分の部分的な断熱のために機能する。織物又は編物から作製される布地層は、非常に柔軟であるとともに皮膚に密着していても十分な可動範囲を許容するため、好適に選択される。
【０００３】
しかしながら、密着して体にフィットする服を拒否するユーザが増加している。これに応じて、古くから知られている通気手段は、もはや有用ではなくなっている。なぜならば、このような手段は、布地層又は通気性領域が直接皮膚に接触することに基づいているためである。
【発明の概要】
【０００４】
本発明は、使用中に着用者の皮膚と実質的に直接接触しない布地層を備えた布地衣服でありながら、布地層又は衣服の少なくとも通気性領域において通気効果を発揮する繊維衣服を創作する目的を有する。高い断熱性及び／又は体表からの汗の放散は、通気効果として理解される。
【０００５】
着用者の皮膚に直接接触しない布地層の通気効果は、請求項１の特徴を有する衣服により達成される。
【０００６】
追加の有利な特定の実施形態は、従属請求項に記載されている。
【０００７】
以下に、本発明の主題の１つの好適な例示的実施形態を、添付図面と併せて説明する。
【図面の簡単な説明】
【０００８】
【図１】図１は、パンツを示す正面図及び背面図であって、それぞれ通気性領域が複数の糸触手体の形態で組み込まれた布地層を備えるパンツを示す正面図及び背面図である。
【図２】図２は、Ｔシャツを示す正面図及び背面図であって、糸触手体の集積体が通気性領域に配置されているＴシャツを示す正面図及び背面図である。
【図３】図３は、図１において円で示された通気性領域を示す詳細図である。
【図４】図４は、糸触手体が内部に配置された布地層を示す概略断面図である。
【発明を実施するための形態】
【０００９】
例として、布地層１をそれぞれ有するパンツ及びＴシャツの形態である衣服０を示す。布地層１は、内側面１０と外側面１１とを備えている。衣服の着用時に、内側面１０は、着用者の皮膚に面するように配置され、外側面１１は、皮膚３の反対側を向くように配置される。
【００１０】
布地層１、したがって衣服０は、布地層１の内側面１０が着用者の皮膚３に直接接触しないように仕立てられていることにより、衣服０はあまり体にフィットしないように仕立てられている。直接接触しないため、皮膚に直接接触する布地部分を利用した通気性は実現され得ない。
【００１１】
したがって、図１及び２による例えばパンツ０又はＴシャツ０として用意された布地層１において、複数の通気性領域２が、特定の領域、特に、腰椎の領域に、脊髄に従って、内腿の表面に、及び／又は外腿の表面に設けられている。Ｔシャツ０の場合、通気性領域２は、腋窩、胸郭、胃及び／若しくは腰椎の領域に、並びに／又は脊髄に従って配置されている。通気性領域２は、部分的に破線で示されている。これらの通気性領域２は、着用者の皮膚３に広範囲に亘って直接接するものではない。
【００１２】
図２に詳細に示すように、通気性領域２は、複数の糸触手体２０をそれぞれ備えている。各糸触手体は、１つの中央セクション２０１と、中央セクション２０１の両側に延在する２つの触手セクション２００と、を備える糸を備えている。したがって、一体型の糸触手体２０は、いずれの場合も３つのセクションにより達成されている。個々の糸触手体２０が形成される糸は、柔軟かつ湾曲した構造であり、触手セクション２００の端部に、それぞれ２つの端部を有するループ形状の糸触手体２０を形成している。糸触手体２０は、布地層１に配置されるとともに、布地層１によりしっかりと保持されている。中央セクション２０１は、布地層１の外側面１１に沿って少なくとも部分的に延びている。一方、触手セクション２００は、布地層１の内側面１０を離れる側を指すように延びている。糸触手体２０のヤーン糸は、布地層１に編み込まれ、縫い付けられ、又は縫い合わせられ得る。図３において、触手セクション２００は、内側面１０まで完全に延びているため、破線で示されている。ここで、糸触手体２０の中央セクション２０１の延びる方向は、いずれの場合もパンツの脚部の円周方向に略平行に整列している。
【００１３】
図４に、着用者の皮膚３から離間して着用されている状態の布地層１を示す。布地層１の内側面１０は、皮膚３に直接接触しない。布地層１は、複数の糸触手体２０を介して、皮膚３に離間した状態で間接的に接続している。糸触手体２０は、布地層１を貫通するとともに、略Ｕ字形状に構成されている。触手セクション２００は、内側面１０に皮膚３の方向を向いて配置されている。一方、中央セクション２０１は、好適には完全に、皮膚の反対側を向く外側面１１上に延びている。糸触手体２０の位置において、衣服０は、着用されている状態で、着用者の皮膚表面に直接接触する。糸触手体２０は、開ループとして形成されたヤーン糸から一体型として形成される。触手セクション２００の端部は、衣服０の着用時に皮膚３まで突出する。
【００１４】
好適には、触手セクション２００は同じ長さｄを有するため、両触手セクション２００は同じ毛管作用を発揮する。触手セクション２００は、多少とも自由な状態で布地層１から垂れ下がり、内側面１０から離れる側を指している。最適な効果を有する通気性領域２を達成するためには、糸触手体２０は、可能な限り均一に分布されるべきであり、特に好適には、最も密に詰め込まれる。
【００１５】
選択的に、糸触手体２０は、布地層１と同じ糸から構成されてもよく、別の糸、特に親水性の第２糸から製造されてもよい。特に、糸触手体２０は、ポリアミドから製造される。これにより、十分な水分の放散又は毛管作用が達成される。糸触手体２０は、水分を吸い上げ、皮膚３から離れるように水分を案内するため、複数の糸触手体２０に基づいて通気性が実現され得る。毛管作用は、糸触手体２０の糸に中空の繊維、及び／又は特に親水性材料を使用することにより、更に向上され得る。
【００１６】
触手セクション２００が中央セクション２０１に対して角度を成している構成、したがって実質的にＵ字形状により、水分は、皮膚３から離れる方向に向けられ得るとともに、皮膚３から離間した中央セクション２０１に案内され得る。触手セクション２００が中央セクション２０１から横方向に角度をなすように延びるとともに皮膚３の方向に突出していることにより、緩めに仕立てられた衣服０と皮膚３との間の空間が埋められ得る。糸触手体２０の糸は、柔軟かつ湾曲しているため、各触手セクション２００は、常に平行に延びることはなく、隣接する糸触手体２０であっても、それらの形状は皮膚表面までの経路から逸脱し得る。柔軟かつ湾曲した挙動にもかかわらず、それらの機能、すなわち布地層１の内側面１０からの距離の生成、チャネルの作成、及び糸触手体２０に沿った汗の放散の潜在力は保証される。
【００１７】
ここで、中央セクション２０１は、外側面１１に対して実質的に平行に延びるように構成されている。しかしながら、中央セクション２０１は、外側面１１からの距離が変わり得るように、波状に構成されることも可能である。したがって、中央セクション２０１は、布地層１を複数回貫通してもよい。
【００１８】
試験により、十分な毛管作用及び水分の貯蔵を達成するためには、内側面１０から突出する触手セクション２００の長さｄが、１ｍｍ乃至７０ｍｍ、特に２ｍｍ乃至１０ｍｍであるべきことが知見されている。糸触手体２０の糸の太さは、０．５乃至１０ｄｔｅｘ、特に０．５乃至５ｄｔｅｘであるように選択されるべきである。糸触手体２０の中央セクション２０１の長さｂは、好適には０．５乃至３ミリメートルである。これにより、十分に多くの糸触手体２０が、小さい面積内に配置され得る。
【００１９】
面積当たりの糸触手体２０の密度に応じて、内側面１０から突出する糸触手体２０から作製された通気性領域２は、汗を放散させる効果に加えて断熱効果も有し得る。１平方センチメートル当たりの糸触手体２０が少なくとも４個、好適には１平方センチメートル当たりの糸触手体２０が１０個以上である糸触手体の密度が選択されるべきである。１平方センチメートル当たりの糸触手体２０が４個を超える糸触手体２０の密度により、通気性領域２に毛皮状ゾーンが作り出される。
【００２０】
好適には、中央セクション２０１及び触手セクション２００は、糸触手体２０に関して同一長さを有するように選択されるべきである。これにより、同一に構成された糸触手体２０が構成される。
【００２１】
糸触手体２０の十分に高い密度によって通気性領域２に毛皮状ゾーンが作り出されると、内側面１０は皮膚３から離間したままとなり、温められた空気が、布地層１の内側面１０と皮膚３の表面との間において複数のチャネルに包囲される。空気は循環できず、熱は通気性領域２に保持される。通気性領域２の特に良好な毛皮状の構造を作り出すためには、布地層１を貫通する糸触手体２０の密度は、１平方センチメートル当たり１０個以上であるべきである。
【００２２】
複数の糸触手体２０により毛皮状構造が達成されると想定される場合、少なくとも１つの通気性領域２のサイズは、これが衣服０の布地層１の内側面１０上に完全に広がるように最終的に選択され得る。複数の糸触手体２０から構成された通気性領域２が内側面１０の表面の略４０％以上に設けられていれば、毛皮状構造は、好適な通気性を有する毛皮特性をもたらす。
【００２３】
好適には、糸触手体２０は、通気性領域２において均一に分布するように配置される。隣接する糸触手体２０の中央セクション２０１同士の間の距離は、略同一であるように選択されるべきである。
【００２４】
選択的に、布地層１は、織られた生地、編まれた生地又は縦編みされた生地であり得る。好適には、布地層１は、丸編み機又は横編み機で工業的に製造される編物として設計される。例えば丸編み機で編物１が製造される場合、第１ヤーン糸を含む第１編み糸が使用され、編まれた生地の形態の布地層１が、好適な編みパターンにより編み機で自動的に作り出される。
【００２５】
編みプロセスにおいて、編物１の内側面１０に部分的に延びるとともに外側面１１に部分的に延びるように第２ヤーン糸が編み込まれる。第２ヤーン糸は、編みプロセス中に編み込まれ、その後に通気性領域２が形成されるべき領域に広範囲に分布される。
【００２６】
これに対応して、好適には、後続の糸触手体２０は、中央セクション２０１の延び方向が編み方向に延びるように、円周方向又は編み方向に配置される。編みプロセスにおいて、布地層１を作り出すための第１編みヤーンに加えて、糸触手体２０を作り出すための第２編みヤーンが編み込まれる。選択的に、第２編みヤーンは、第１編みヤーンと同一であり得る。
【００２７】
第２編みヤーンは、編み込まれ、そして、編み込み後に、複数の糸触手体２０が通気性領域の複数箇所に作り出されるように、切断プロセスを利用して分離される。切断プロセスは、糸触手体２０の隣接する触手セクション２００の長さｄが可能な限り同一であるように調整されるべきである。
【００２８】
制御可能な切断装置が、一般に編み機に組み込まれており、これにより、内側面１０から突出する切断装置ループが分離される。これにより、それらは開ループに、したがって糸触手体２０になる。この切断プロセスも、通気性領域２が形成されるべき布地層１の複数箇所において編み機用の制御装置により制御されつつ自動的に行われる。こうして、第２ヤーン糸から形成された糸触手体２０であって、上述のように端部を有する２つの触手セクション２００と中央セクション２０１とを有する糸触手体２０が得られる。
【００２９】
オプションとして、糸触手体２０は、対応する糸から編み込まれてもよい。これは、別の作業プロセスにおいて対応する機械で実行され得る。
【００３０】
０      衣服（Ｔシャツ、パンツ）
１      布地層（縦編物、丸編物、平編物、織物）
１０    内側面
１１    外側面
編みヤーン／第１ヤーン糸
２      通気性領域
２０    糸触手体
２００  触手セクション
２０１  中央セクション
ｄ      触手セクションの長さ
ｂ      中央セクションの長さ
３      皮膚
【図１】
2021507134.tif 000003
【図２】
2021507134.tif 000004
【図３】
2021507134.tif 000005
【図４】
2021507134.tif 000006
【国際調査報告】
2021507134.tif 000007
2021507134.tif 000008
2021507134.tif 000009
2021507134.tif 000010
2021507134.tif 000011
2021507134.tif 000012